(57)【要約】【課題】スペースを有効に活用するとともに、撮像時における照度を十分に高くする。【解決手段】被写体の撮像モードを複数有するとともに、撮像モードの各々に対応して設けられた複数の撮像部１６ａ、１６ｂを有する撮像装置１６を備える携帯電話機１である。撮像部の各々は、基板ＰＣに配設された撮像素子２１、２２と、撮像素子に対応して設けられ、各撮像素子に集光させるための光学部材３１、３２と、当該撮像部による被写体の撮像時に発光する照明用の光源４１、４２とを備える。光源は、当該光源からの光を、光学部材を通過させて被写体に照射可能となるような位置に配設されている。複数の撮像部のうち、いずれか一の撮像部による被写体の撮像時に、一の撮像部と異なる他の撮像部に備えられた光源を発光させる発光制御手段ａ１を備える。【選択図】        図２
2004241825.tif 000002
【特許請求の範囲】
【請求項１】
被写体の撮像モードを複数有するとともに、前記撮像モードの各々に対応して設けられた複数の撮像部を有する撮像装置を備える携帯端末であって、
前記撮像部の各々は、基板に配設された撮像素子と、前記撮像素子に対応して設けられ、各撮像素子に集光させるための光学部材と、前記被写体の撮像時に発光する照明用の光源とを備え、
前記光源は、当該光源からの光を、前記光学部材を通過させて前記被写体に照射可能となるような位置に配設され、
前記複数の撮像部のうち、いずれか一の撮像部による前記被写体の撮像時に、前記一の撮像部と異なる他の撮像部に備えられた光源を発光させる発光制御手段を備えることを特徴とする携帯端末。
【請求項２】
請求項１に記載の携帯端末において、
前記撮像モードは、前記被写体を撮像する第一の撮像モードと、前記第一の撮像モードにおける前記被写体よりも近距離にある被写体を撮像する第二の撮像モードとを含んで構成されていることを特徴とする携帯端末。
【請求項３】
請求項１又は２に記載の携帯端末において、
前記撮像部には、前記光源からの光を前記被写体に向けて反射させる反射部材が設けられていることを特徴とする携帯端末。
【発明の詳細な説明】
【０００１】
【発明の属する技術分野】
本発明は、撮像モードを切り換えて被写体の撮像を行う携帯端末に関する。
【０００２】
【従来の技術】
近年、携帯電話等の携帯端末は急速に普及しつつあり、携帯端末の中には撮像装置を搭載したものも開発されている。
携帯端末に搭載される撮像装置は、スペースの制約上、小型である必要があるが、ユーザからは高性能のものが求められている。具体的に、撮像装置は、例えば、ポートレートなどの通常の被写体を撮像するための通常撮像モード、名刺や二次元コードなどの小さなサイズの被写体を拡大して撮像するためのマクロ撮像モード等を備えることが求められてきている。
【０００３】
そこで、通常、光学レンズを光軸方向に移動させることで、マクロ撮像モードのように被写体を拡大して撮像する撮像装置が提案されている（例えば、特許文献１参照。）。
【０００４】
【特許文献１】
特開２００１−３０５４２６号公報
【０００５】
【発明が解決しようとする課題】
ところで、上記特許文献１の撮像装置等を搭載した携帯端末を用いて被写体のマクロ撮像を行う場合においては、携帯端末の撮像装置と被写体との距離が近くなるため、被写体が携帯端末の影に入ってしまい照度が不足することがある。また、携帯端末による撮像が室内で行われる場合にも照度が不足しがちとなる。このような状況では、例えば二次元コードの撮像を行っても、ディストーションを引き起こしたりや解像度が低下してしまい、二次元コードの読取を適正に行うことができない虞があった。
そこで、照明補助用としての光を発光するバックライトやストロボ等の光源、当該光源からの光を被写体に向けて投光するための投光用レンズ等を備えた補助光ユニットを別に設ける必要が生じることとなるが、補助光ユニットを別に設けた場合には、携帯端末が大型化してしまい、ユーザにとって利便性の良い携帯端末の提供が困難となる。
【０００６】
本発明の課題は、複数の撮像モードで被写体の撮像を行うことができる携帯端末であって、スペースを有効に活用することができるとともに、撮像時における照度を十分に高くすることができる携帯端末を提供することである。
【０００７】
【課題を解決するための手段】
請求項１に記載の発明は、被写体の撮像モードを複数有するとともに、前記撮像モードの各々に対応して設けられた複数の撮像部を有する撮像装置を備える携帯端末であって、
前記撮像部の各々は、基板に配設された撮像素子と、前記撮像素子に対応して設けられ、各撮像素子に集光させるための光学部材と、前記被写体の撮像時に発光する照明用の光源とを備え、
前記光源は、当該光源からの光を、前記光学部材を通過させて前記被写体に照射可能となるような位置に配設され、
前記複数の撮像部のうち、いずれか一の撮像部による前記被写体の撮像時に、前記一の撮像部と異なる他の撮像部に備えられた光源を発光させる発光制御手段を備えることを特徴としている。
【０００８】
請求項１に記載の発明によれば、複数の撮像部のうち、いずれか一の撮像部による被写体の撮像時に、一の撮像部と異なる他の撮像部に備えられた光源を発光させる発光制御手段が備えられるので、一の撮像部による被写体の撮像時に、一の撮像部と異なる他の撮像部に備えられた光源を照明用として用いることができ、被写体の撮像時における照度を十分に高くすることができる。
ここで、光源は、当該光源からの光を、光学部材を通過させて被写体に照射可能となるような位置に配設されているので、光源からの光が光学部材を通過することで、光束が拡大し、光の照射領域を拡大させることができる。従って、光源からの光を、被写体に対して適正に照射でき、照明用として効果的に活用することができる。これにより、例えばバックライトやストロボ等の照明補助用としての光を発光する光源、当該光源からの光を被写体に向けて投光するための投光用レンズ等を備えた補助光ユニットを別に設ける場合に比べて、携帯端末のスペースを有効に活用することができる。
【０００９】
請求項２に記載の発明は、請求項１に記載の携帯端末において、
前記撮像モードは、前記被写体を撮像する第一の撮像モードと、前記第一の撮像モードにおける前記被写体よりも近距離にある被写体を撮像する第二の撮像モードとを含んで構成されていることを特徴としている。
【００１０】
請求項２に記載の発明によれば、撮像モードは、被写体を撮像する第一の撮像モードと、第一の撮像モードにおける被写体よりも近距離にある被写体を撮像する第二の撮像モードとを含んで構成されている。すなわち、例えば二次元コード等の携帯端末の影に入ってしまうような近距離にある被写体を撮像する第二の撮像モードにおいても、請求項１に記載の発明と同等の効果を得ることができる。
【００１１】
請求項３に記載の発明は、請求項１又は２に記載の携帯端末において、
前記撮像部には、前記光源からの光を前記被写体に向けて反射させる反射部材が設けられていることを特徴としている。
【００１２】
請求項３に記載の発明によれば、撮像部には、光源からの光を被写体に向けて反射させる反射部材が設けられているので、例えば携帯端末に搭載可能なバッテリーの容量の制限に起因して光源の出力強度を高めることができないような状況であっても、反射部材によって被写体の方に向かわない光を被写体に向けて反射させることで、光源からの光の照射強度を十分に確保することができる。
【００１３】
【発明の実施の形態】
以下に、本発明について、図面を用いて具体的な態様を説明する。ただし、発明の範囲は、図示例に限定されない。
図１は、本発明を適用した携帯端末の一例である、撮像装置付き携帯電話機（以下、携帯電話機と略記する。）の外観構成を示す図であり、図１（ａ）は正面図を示し、図１（ｂ）は、背面図を示している。また、図２は、図１の携帯電話機の機能的構成を示すブロック図である。
【００１４】
携帯電話機１は、図１に示すように、上筐体１０ａと、下筐体１０ｂとがヒンジ結合部１０ｃを介して連結された折り畳み式のものであり、図２に示すように、制御部１１、入力部１２、表示部１３、無線通信部１４、記憶部１５、撮像装置１６、電源制御部１７、送受話部１８等を備えて構成されている。
なお、携帯電話機１を構成する各部は、バス１９により接続されている。
【００１５】
上筐体１０ａの携帯電話機１の折り畳み時に内側になる面（以下、正面という。）には、表示画面１３ａが配設されている。また、上筐体１０ａの上部には、アンテナ１４ａが配設されている。上筐体１０ａの携帯電話機１の折り畳み時に外側になる面（以下、背面という。）からは、上筐体１０ａの内部に配設された撮像装置１６のフィルタ８１、８２が露出されている。
下筐体１０ｂの正面には、操作ボタンＰ、…が配設されている。一方、下筐体１０ｂの背面側には、電源制御部１７の２次電池を収納する収納部を覆うカバー部材１７１が配設されている。
【００１６】
撮像装置１６は、被写体を撮像するためのものであり、上筐体１０ａの表示画面１３ａの下方に内蔵されており、後述する第一光学部材３１及び第二光学部材３２がフィルタ８１、８２を介して上筐体１０ａの背面側から光を取り込めるものとされている。
以下に、撮像装置１６について図３を参照してさらに詳細に説明する。
ここで、図３は、撮像装置を示す部分断面図である。なお、図３における右側は図１における上側に対応し、図３における左側は図１における下側に対応するものとする。
【００１７】
図３に示すように、撮像装置１６は、一枚の基板ＰＣの一方の面上に設けられ、光を感じるセンサとなる第一撮像素子２１及び第二撮像素子２２、第一撮像素子２１及び第二撮像素子２２に集光させるための第一光学部材３１及び第二光学部材３２、被写体の撮像時に発光する第一光源４１及び第二光源４２、第一光学部材３１及び第二光学部材３２に入射する光の量を調節する第一絞り板５１及び第二絞り板５２、第一撮像素子２１及び第二撮像素子２２を覆い隠す外枠部材としての鏡枠６、遮光性を有する遮光板７、遮光板７に支持されるフィルタ８１、８２、各光学部材３１、３２を押圧する押圧部材９１、９２、各光学部材３１、３２の位置決めを行うための位置決め電気部品１０１、１０２、及びその他基板ＰＣに配置された電気部品等を備えている。
【００１８】
ここで、第一撮像素子２１、第一光学部材３１、第一光源４１によって、通常撮像モード（第一の撮像モード）にて被写体を撮像する第一撮像部１６ａが構成され、また、第二撮像素子２２、第二光学部材３２、第二光源４２によって、マクロ撮像モード（第二の撮像モード）にて被写体を撮像する第二撮像部１６ｂが構成されている。
なお、通常撮像モードは、被写界深度が１メートル〜∞であり、また、マクロ撮像モードは、被写界深度が数センチメートル〜∞であり、通常撮像モードより焦点距離が短く、被写体までの距離が短い場合の撮像に適している。
以下に、撮像素子２１、２２、光学部材３１、３２、光源４１、４２等の撮像装置１６を構成する各種の構成要素について、より詳細に説明する。
【００１９】
撮像素子２１、２２は、矩形薄板状に形成された部材であり、各撮像素子２１、２２の下面を基板ＰＣの上面に当接させた状態で前記上面に図３における左右に並んで配設されている。
また、撮像素子２１、２２は、例えばＣＭＯＳ型イメージセンサ、ＣＣＤ型イメージセンサ等からなり、撮像素子２１、２２の上面中央には、画素が２次元的に配列され撮像領域としての光電変換部２１ａ、２２ａが形成されている。光電変換部２１ａ、２２ａの外側には、処理部（図示しない）が形成されており、処理部の外縁近傍には、複数のパッド（図示しない）が配置されている。パッドは、外部接続用端子であり、図３に示すように、ワイヤＷを介して基板ＰＣ上の所定の回路に接続されている。
なお、図示は省略するが、撮像素子２１、２２には、所定の感色性を有するフィルタが配設されている。具体的には、第一撮像素子２１には、例えば、カラー画像用フィルタが配設され、第二撮像素子２２には、白黒画像用フィルタが配設されている。これによって、第一撮像素子２１によりカラー画像の撮像が可能とされ、第二撮像素子２２により白黒画像の撮像が可能とされている。
【００２０】
このように構成された撮像素子２１、２２は、光学部材３１、３２により集光され入射した画像に対応する光を検出し、検出した光を電気信号に変換して、画像データを生成する。そして、撮像素子２１、２２は、作成した画像データを所定の回路により制御部１１に出力するようになっている。
【００２１】
また、撮像素子２１、２２の上方には、当該撮像素子２１、２２の上面に光学部材３１、３２の当接部３１ｆ、３２ｆの下端を当接させるようにして前記光学部材３１、３２が配設されている。
【００２２】
各光学部材３１、３２は、各撮像素子２１、２２の光電変換部２１ａ、２２ａに被写体像を結像させるものであり、透明なプラスチック材料を素材とし、例えば管状の脚部３１ａ、３２ａと、脚部３１ａに支持される凸レンズ形状のレンズ部３１ｂ、３２ｂとが一体的に形成されている。
脚部３１ａ、３２ａは、下端に当接部３１ｆ、３２ｆが形成された下脚部３１ｃ、３２ｃと、下脚部３１ｃ、３２ｃの上端に連続するように形成された上脚部３１ｄ、３２ｄと、上脚部３１ｄ、３２ｄの上端に連続して形成され、脚部３１ａ、３２ａの上端を塞ぐ板状の上面部３１ｅ、３２ｅとを備え、上面部３１ｅ、３２ｅの中央にレンズ部３１ｂ、３２ｂが形成されている。
レンズ部３１ｂ、３２ｂは、互いに異なる径とされ、図３においては、レンズ部３１ｂが大径とされ、レンズ部３２ｂが小径とされている。また、レンズ部３２ｂは、マクロ撮像モードにおける撮像処理に用いられるために、レンズ部３１ａと異なる焦点距離を有している。さらに、レンズ部３１ｂ、３２ｂは、互いに異なる絞り値を有するようにされても良い。
【００２３】
当接部３１ｆ、３２ｆは、例えば、３つ（図３においては、２つのみを図示している。）設けられている。なお、当接部３１ｆ、３２ｆの個数は、適宜任意に変更可能となっているが、当接部３１ｆ、３２ｆが３つ設けられた場合が、最もがたつきにくく、各光学部材３１、３２を安定した状態で撮像素子２１、２２上に設置することができる。
【００２４】
また、光学部材３１、３２を例えば携帯電話機１等の小型の携帯端末等に内蔵させる場合においては、光学部材３１、３２の光軸方向の高さが１５ｍｍ以下であることが好ましい。
なお、光学部材３１、３２の形状は、上記したようなものに限られない。
【００２５】
一方、撮像素子２１、２２の隣り合う撮像素子２２、２１と反対側には、光源４１、４２が配設されている。具体的には、第一撮像素子２１の図３における左側に第一光源４１が配設され、第二撮像素子２２の図３における右側に第二光源４２が配設さている。
各光源４１、４２は、例えばＬＥＤ等から構成されており、撮像装置１６による被写体の撮像時に発光するようになっている。また、光源４１、４２の照射口は、その中心軸が絞り板５１、５２の開口５１ａ、５２ａの中心と交わるような向きに形成されている。
これにより、撮像装置１６による被写体の撮像時に、光源４１、４２からの光が、光学部材３１、３２の脚部３１ａ、３２ａを通過した後、レンズ部３１ｂ、３２ｂにて集光され、絞り板５１、５２の開口５１ａ、５２ａを介して被写体に照射されるようになっている。なお、脚部３１ａ、３２ａのうち光源４１、４２からの光が通過する部分の光の屈折率は、脚部３１ａ、３２ａを通過する前後で光の進行方向が変化しない程度のものとされている。
【００２６】
また、上記の光源４１、４２は、制御部１１の制御下における発光制御処理において、第二撮像部１６ｂによる前記被写体の撮像時に、第一撮像部１６ａに備えられた第二光源４１を発光させるようになっている。
【００２７】
さらに、本実施の形態においては、図示は省略するが、例えば撮像装置１６の第一光源４１及び第二光源４２の各々の周囲に反射部材を設けるようにしても良く、これにより、反射部材によって被写体の方に向かわない光を被写体に向けて反射させることができる。従って、例えば携帯電話機１に搭載可能なバッテリーの容量の制限に起因して第一光源４１及び第二光源４２の出力強度を高めることができないような状況においても、第一光源４１及び第二光源４２からの光の照射強度を十分に確保することができる。
【００２８】
絞り板５１、５２は、光学部材３１、３２の上面部３１ｅ、３２ｅの上面であって、レンズ部３１ｂ、３２ｂの周囲に接着剤Ｂにより固定されている。また、絞り板５１、５２は、遮光性のある素材からなり、レンズ部３１ｂ、３２ｂの絞り値（Ｆ値）を規定する第一の絞りとしての開口５１ａ、５２ａを有している。
ここで、開口５２ａの面積は、マクロ撮像処理用となるように、通常撮像用となる第一撮像部１６ａの開口５１ａの面積よりも小さく形成されている。
そして、レンズ部３２ｂと第二撮像素子２２との距離や、第二絞り板５２の絞り値等により、例えば、被写界深度が、数センチメートル〜∞となるように構成され、マクロ撮像モード用の焦点距離（第２の焦点距離）が設定されるようになっている。
なお、レンズ部３２ｂと第二撮像素子２２との距離、第二絞り板５２の絞り値等の何れか一の要素によって、マクロ撮像が可能な焦点距離（第２の焦点距離）に設定可能な構成であってもよい。
【００２９】
鏡枠６は、遮光性を有する素材からなり、各光学部材３１、３２の外側に配置されている。
また、鏡枠６は、例えば略四角柱状に形成され、そのうち対向する二つの内側面には、水平方向に沿って各光学部材３１、３２を支持する支持部６１、６２が一体に形成され、支持部６１、６２の長尺側の両端部が鏡枠６の他の対向する二つの内側面に当接されている。さらに、他の対向する二つの内側面には、当該内側面にわたるように、且つ前記支持部６１、６２と略平行となるように鏡枠６内の空間を二分する間仕切壁６３が設けられ、間仕切壁６３の長尺側の両端部が他の対向する二つの内側面に当接されている。
【００３０】
間仕切壁６３は、隣接する第一光学部材３１と第二光学部材３２との間（第一撮像素子２１と第二撮像素子２２との間）を仕切り、第一光学部材３１（第二光学部材３２）を通過した光が第二撮像素子２２（第一撮像素子２１）に対して入射しないようにするものである。また、間仕切壁６３には、支持部６１、６２と略同じ高さに各光学部材３１、３２の他端部を支持する支持部６４、６５が一体に形成されている。すなわち、支持部６１及び支持部６４によって第一光学部材３１が支持され、支持部６２及び支持部６５によって第二光学部材３２が支持されている。
また、間仕切壁６３の下端部は、基板ＰＣ上に電気配線よりも突出して配置された電子部品、例えばコンデンサＣの上面に当接しており、電気配線に接触しないような工夫が施されている。
【００３１】
また、鏡枠６の下端部には、基板ＰＣ上に鏡枠６が取り付けられる際の接着部位となる箇所であって、鏡枠６の内側面と外側面とにおいて、側面から底面６ａに向かって所定の角度で切り欠かれ、傾斜面を有する切欠部６ｂ、６ｂが形成されている。鏡枠６の下端部が基板ＰＣ上に当接され取り付けられる際には、切り欠かれて残った底面６ａ及び切欠部６ｂ、６ｂの傾斜面と、基板ＰＣとの間に接着剤Ｂが塗布され、固着される。
【００３２】
一方、鏡枠６の上端部には、接着剤Ｂを用いて遮光板７が取り付けられている。
遮光板７は、各光学部材３１、３２に対応する位置に、第二の絞りとしての開口７１ａ、７２ａを有している。開口７１ａ、７２ａの下方には、接着剤Ｂを用いて赤外線吸収特性を有する素材からなるフィルタ８１、８２が接合されている。
フィルタ８１、８２は、第一光学部材３１及び第二光学部材３２の径に対応して形成され、互いに異なる大きさとされている。
【００３３】
なお、遮光板７とフィルタ８１、８２とによってカバー部材が構成されている。これにより、基板ＰＣと鏡枠６とカバー部材とが密着し接合した状態となっているので、撮像装置１６は、防塵、防湿の構造を有している。
【００３４】
各光学部材３１、３２と、遮光板７との間には、例えば、コイルばねなどの弾性部材により構成された押圧部材９１、９２が配置されている。
押圧部材９１、９２は、鏡枠６に遮光板７が取り付けられることで、遮光板７によって押圧されて、弾性変形する。これにより、押圧部材９１、９２は、各光学部材３１、３２を図３中、下方に向かって所定の押圧力により押圧して、各光学部材３１、３２を各撮像素子２１、２２に付勢する。ここで、遮光板７から下方の各撮像素子２１、２２に向かう力が加わった際に、押圧部材９１、９２が弾性変形することにより、その力を吸収する緩衝作用が働くので、その力は直接各撮像素子２１、２２には伝達されず、各撮像素子２１、２２が破損することを防ぐ効果がある。
【００３５】
このような構成の撮像装置１６が携帯電話機１に設けられているので、例えば、落下等により携帯電話機１が衝撃を受けた場合であっても、光学部材や絞り板等の精度を必要とする部品が移動部品として配設されていないことから、前記移動部品が位置ずれしたり壊れたりすることが防止され、携帯電話機１としての信頼性を高めることができる。
【００３６】
入力部１２は、テンキー、各種機能スイッチ、通話モード及びカメラモードの切換えを行うモード切換スイッチ、撮像スイッチ等の操作ボタンＰを備えており、撮像処理の実施指示の入力等に用いられる。
【００３７】
表示部１３は、例えばＬＣＤ（Ｌｉｑｕｉｄ  Ｃｒｙｓｔａｌ  Ｄｉｓｐｌａｙ）パネル等の表示画面１３ａを備えて構成され、制御部１１から入力される表示データに基づいて画面表示を行う。また、表示部１３は、後述する撮像装置１６によってプレビュー撮像された画像や、制御部１１により復号（デコード）されたコード情報内容等を表示する。
【００３８】
無線通信部１４は、無線基地局（図示せず）との間で着信や発信等に係る無線信号の送受信を行うアンテナ１４ａを備え、制御部１１から入力される指示に従って、無線基地局との間で、例えば、ＩＭＴ−２０００準拠の通信方式（例えば、Ｗ−ＣＤＭＡやｃｄｍａ２０００）に対応する携帯電話用の通信プロトコルを実行し、この通信方式で設定される通信チャネルにより、送受話音声の送受信やデータ通信を実行する。
【００３９】
記憶部１５は、制御部１１により実行された処理結果のデータ等を記憶する。例えば、記憶部１５は、撮像装置１６により撮像された画像のデータ、無線通信部１４を介して送受信したメールのデータ、通話履歴のデータ等を記憶する。
【００４０】
電源制御部１７は、カバー部材１７１の裏面側に設けられた例えば、リチウム電池、ニッケル電池、ニカド電池等の２次電池（図示略）を備えて構成され、電源が投入されると、制御部１１の制御に応じて、プラス側の端子及びマイナス側の端子から、携帯電話機１の各部を駆動する駆動回路に所定電圧の電源を供給する。
【００４１】
送受話部１８は、マイク、スピーカ、Ａ／Ｄ変換部、及びＤ／Ａ変換部（何れも図示せず）を有し、マイクから入力されるユーザの送話音声をＡ／Ｄ変換処理して、その送話音声データをＣＰＵ１１ａに出力するとともに、ＣＰＵ１１ａから入力される受話音声データや、着信音、操作確認音、シャッタ音等の音声データをＤ／Ａ変換処理して、スピーカから出力する。
【００４２】
制御部１１は、ＣＰＵ（Ｃｅｎｔｒａｌ  Ｐｒｏｃｅｓｓｉｎｇ  Ｕｎｉｔ）１１ａ、書き換え可能な半導体素子で構成されるＲＡＭ（Ｒａｎｄｏｍ  Ａｃｃｅｓｓ  Ｍｅｍｏｒｙ）１１ｂ、不揮発性の半導体メモリで構成されるＲＯＭ（Ｒｅａｄ  Ｏｎｌｙ  Ｍｅｍｏｒｙ）１１ｃ等から構成されている。
【００４３】
ＲＯＭ１１ｃには、図示しない、携帯電話機１の基本動作制御プログラム、通信処理プログラム、表示部に表示するための表示用データ、撮像に関するパラメータデータ（自動撮像用のデフォルトの設定データ、プレビュー撮像用のデフォルトの設定データ）等の他、撮像制御プログラムｃ１、発光制御プログラムｃ２、コード認識プログラムｃ３、コード認識用データｃ４が記憶されている。ここで、コード認識用データｃ４は、画像データに情報コードとしての二次元コードが含まれているかを判断するためのコード類似性係数（Ｑ）を設定する際の基準データである。
【００４４】
ＣＰＵ１１ａは、入力部１２から入力される各種指示又は無線通信部１４から入力されるデータに従って、ＲＯＭ１１ｃに記憶されている各種プログラムの中から指定されたプログラムをＲＡＭ１１ｂのワークエリアに展開し、この入力指示及び入力データにより上記プログラムに従って各種処理を実行する。そして、ＣＰＵ１１ａは、その処理結果をＲＡＭ１１ｂの所定の領域に格納するとともに、表示部１３に表示させる。
【００４５】
具体的に、ＣＰＵ１１ａは、ＲＯＭ１１ｃに記憶されている撮像制御プログラムｃ１を読み出して、撮像制御処理を実行する。
撮像制御処理として、ＣＰＵ１１ａは、入力部１２から入力されるユーザの操作指示等に従って、撮像装置１６を制御して、撮像させた撮像画像データをＲＡＭ１１ｂに所定のメモリ等に格納した上で、フレームレート２５ｆｐｓ（Ｆｒａｍｅｓ
Ｐｅｒ  Ｓｅｃｏｎｄ）で、表示部１３にプレビュー表示させる。
また、撮像制御処理において、ＣＰＵ１１ａは、発光制御手段ａ１として機能し、ＲＯＭ１１ｃに記憶されている発光制御プログラムｃ２を読み出して、第二撮像部１６ｂを制御することでマクロ撮像モードにて例えば二次元コード等の被写体の撮像を行う際に、照明用として、第一撮像部１６ａに備えられた第一光源４１を発光させる。
【００４６】
さらに、ＣＰＵ１１ａは、コード認識手段として機能し、コード認識プログラムｃ３に従って、撮像画像データに対して二次元コードである可能性のある二次元コード対象を認識するコード認識処理を実行する。具体的には、コード認識処理において、ＣＰＵ１１ａは、類似性係数算出手段として機能し、撮像画像データと、類似性係数算定用情報としてのコード認識用データｃ４とを対照することにより、二次元コード対象にコード類似性係数を算出し、このコード類似性係数の値に基づいて、二次元コードである可能性のある二次元コード対象（情報コード対象）や二次元コードを認識する。
【００４７】
なお、ＣＰＵ１１ａは、撮像画像データ中に二次元コードを認識した場合には、解読手段として機能し、二次元コードのデコード処理するとともに、表示制御手段として機能し、表示画面１３ａに表示させる。
また、ＣＰＵ１１ａは、実行手段として機能し、デコード処理を行った情報コードの情報に基づく動作を実行する。
【００４８】
次に、携帯電話機１における撮像制御処理について、図４を参照して説明する。
ここで、図４は、撮像制御処理を説明するためのフローチャートである。
【００４９】
本実施の形態では、ユーザは、携帯電話機１の撮像装置１６を被写体としての例えば二次元コードのようなものに向けることにより、この被写体をマクロ撮像モードにて撮像することとする。なお、被写体を、二次元コードに替えて、バーコード、カラーコード等のマクロ撮像モードにおける撮像が必要な情報コードとしても良い。
【００５０】
先ず、ユーザによって、入力部１２の所定のボタンが押下されることにより、ＣＰＵ１１ａは、撮像処理の指示の入力であると判断し、ＲＯＭ１１ｃに記憶されている撮像制御プログラムｃ１を読み出してＲＡＭ１１ｂに展開し、撮像制御プログラムｃ１に従って、撮像処理の制御を開始する。
【００５１】
ＣＰＵ１１ａは、マクロ撮像モードによる撮像処理の開始指示を撮像装置１６に出力する。ここで、マクロ撮像モードと通常撮像モードとの切換は、例えば入力部１２にマクロ撮像モードと通常撮像モードとを切り換えるための撮像モード切換キーを配して、このキーがユーザにより操作されることにより行われても良いし、被写界距離に基づいて、撮像モードの切換が自動的に行われるようにしても良い。
【００５２】
次に、撮像装置１６の第二撮像部１６ｂは、マクロ撮像モードにおける撮像処理として、第二光学部材３２により集光され、第二撮像素子２２の光電変換部２２ａに結像された被写体の撮像画像データを順次、制御部１１に出力する（ステップＳ１）。
【００５３】
制御部１１のＣＰＵ１１ａは、第二撮像部１６ｂより出力され入力された撮像画像データを、順次ＲＡＭ１１ｂに格納するとともに、前記撮像画像データに対応する画像をフレームレート２５ｆｐｓで表示画面１３ａに表示させるプレビュー表示処理を実行する（ステップＳ２）。
【００５４】
そして、ユーザにより撮像スイッチが操作されて、入力部１２から所定画像の撮像開始の指示がＣＰＵ１１ａに入力されると（ステップＳ３）、ＣＰＵ１１ａは、撮像タイミングであると判断して、発光制御プログラムｃ２に従って発光制御処理を実行する（ステップＳ４）。
この発光制御処理において、ＣＰＵ１１ａは、発光制御手段ａ１として機能し、撮像装置１６の第一撮像部１６ａを制御して、第一光源４１を発光させ、続けて、第二光学部材３２及び第二撮像素子２２を用いて被写体の撮像を行うことで、被写体の撮像画像データを取得する。なお、取得された被写体の撮像画像データは、記憶部１５に記憶されるとともに、前記撮像画像データに対応する画像が表示画面１３ａに表示される。
【００５５】
次いで、ＣＰＵ１１ａは、ＲＯＭ１１ｃに記憶されているコード認識プログラムｃ３を読み出してＲＡＭ１１ｂに展開し、このコード認識プログラムｃ３に従って、コード認識処理の制御を開始する（ステップＳ５〜ステップＳ７）。具体的には、先ず、ＣＰＵ１１ａは、記憶部１５に記憶された被写体の撮像画像データと、コード認識用データｃ４とを比較対照することにより、二次元コードの認識処理を実行する。
ここで、認識処理の方法として、例えば、被写体の撮像画像データに二次元コードであることを示す所定の切り出しシンボルを検出することにより認識する方法、或いは、被写体の撮像画像データの濃度により認識する方法、二次元コードの所定のモザイク形状を認識する方法等があるが、これらに限定されるものではない。
【００５６】
具体的に、ＣＰＵ１１ａは、ステップＳ５において、撮像画像データと類似性係数算定情報としてのコード認識用データｃ４と比較することにより、該撮像画像データの二次元コードである可能性を判断するためのコード類似性係数（Ｑ）を算出する。
次いで、ＣＰＵ１１ａは、算出されたコード類似性係数（Ｑ）の値が、「０．５」以上であるか否かを判断し（ステップＳ６）、Ｑの値が「０．５」以上であると判断した場合（ステップＳ６：Ｙｅｓ）には、所定の二次元コードの可能性があると判断してステップＳ７に移行する。
一方、ＣＰＵ１１ａは、算出されたコード類似性係数（Ｑ）の値が「０．５」未満であると判断した場合（ステップＳ６：Ｎｏ）には、二次元コードである可能性が少ない、すなわち通常の画像であると判断してステップＳ８に移行する。
【００５７】
ステップＳ８において、ＣＰＵ１１ａは、ユーザの入力部１２の操作により、撮像処理の終了指示が入力されたか否かを判断し、入力されたと判断した場合には（ステップＳ８：Ｙｅｓ）、撮像装置１６に撮像処理の終了指示を出力することにより、本撮像制御処理を終了する。
一方、ＣＰＵ１１ａは、撮像制御処理の終了指示の入力がないと判断した場合（ステップＳ８：Ｎｏ）は、ステップＳ３に移行し、以降の工程を繰り返す。
【００５８】
ステップＳ７において、ＣＰＵ１１ａは、コード類似性係数（Ｑ）の値が、「１」であるか否かを判断し、Ｑの値が「１」であると判断した場合（ステップＳ７：Ｙｅｓ）には、二次元コードであると判断してステップＳ１０に移行する。
一方、ＣＰＵ１１ａは、コード類似性係数（Ｑ）の値が、「０．５」以上であるが「１」ではないと判断した場合（ステップＳ７：Ｎｏ）には、被写体の撮像画像データの内容が二次元コードの認識には不十分であると判断して、ステップＳ９に移行する。
【００５９】
ステップＳ９では、ＣＰＵ１１ａは、表示部１３を制御して、二次元コードの認識エラーの表示及び被写体の再撮像の要請指示の表示を行い、所定時間経過後、ステップＳ３に移行し、以降の工程を繰り返す。
【００６０】
ステップＳ１０において、ＣＰＵ１１ａは、認識された二次元コードのデコード処理を実行し、その二次元コードのコード情報内容を表示画面１３ａに表示させる（ステップＳ１１）。
ここで、表示部１３に表示されるコード情報内容としては、例えば、ＵＲＬアドレス、電子メールアドレス等の文字情報や、任意の画像情報等である。
なお、コード情報内容としての文字情報、画像情報等の表示画面１３ａに表示可能な内容の他、例えば、コード情報内容が音声情報である場合、送受話部１８から放音処理を実行する構成であってもよい。
【００６１】
次いで、ＣＰＵ１１ａは、ユーザによる入力部１２の操作により、表示部１３に表示されたコード情報内容に対する所定の処理の指示信号が入力されたか否かを判断し（ステップＳ１２）、指示信号が入力されたと判断した場合（ステップＳ１２：Ｙｅｓ）には、前記指示に応じた処理を実行（ステップＳ１３）してステップＳ８に移行する。
ここで、コード情報内容に対する所定の処理とは、例えば、コード情報内容がＵＲＬアドレスである場合には、該ＵＲＬアドレスへの接続指示、コード情報内容が電子メールアドレスである場合には、該電子メールアドレス宛の電子メールの作成指示、コード情報内容が、電話番号、電子メールアドレス等である場合にはアドレス帳等への保存処理、その他、表示部１３の表示画像の保存指示等であるが、これらに限定されるものではない。
このように、ユーザは、例えば、名刺や雑誌等に付けられている二次元コードを認識、解読するために面倒な設定をしなくとも通常の撮像処理の場合と同操作をすることで、自動的に二次元コードの読取、解読を行えなえることとなるので、大変使い勝手が良い。
【００６２】
一方、ＣＰＵ１１ａは、ステップＳ１２において、ユーザからの指示信号の入力がないと判断した場合には（ステップＳ１２：Ｎｏ）、ステップＳ８に移行して、以降の工程を繰り返す。
【００６３】
以上のように、本実施の形態の携帯電話機１によれば、マクロ撮像モードにて、二次元コード等の携帯電話機１の影に入ってしまうような近距離にある被写体を、第二撮像部１６ｂの第二光学部材３２及び第二撮像素子２２を用いて撮像する場合に、第一撮像部１６ａに備えられた第一光源４１を照明用として用いることができるので、被写体の撮像時における照度を十分に高くすることができる。
また、上記において、第一光源４１は、当該第一光源４１からの光を第一光学部材３１を通過させて被写体に照射可能となるような位置に配設されているので、第一光源４１からの光が第一光学部材３１のレンズ部３１ｂを通過することで、光束が拡大し、光の照射領域を拡大させることができる。従って、第一撮像部１６ａに備えられた第一光源４１からの光を、被写体に対して適正に照射でき、照明用として効果的に活用することができる。これにより、例えばバックライトやストロボ等の照明補助用としての光を発光する光源、当該光源からの光を被写体に向けて投光するための投光用レンズ等を備えた補助光ユニットを別に設ける場合に比べて、携帯電話機１のスペースを有効に活用することができる。
【００６４】
なお、本発明は、上記実施の形態に限定されることなく、本発明の趣旨を逸脱しない範囲において、種々の改良並びに設計の変更を行っても良い。
例えば、上記実施の形態では、撮像装置１６は、第一撮像部１６ａ及び第二撮像部１６ｂを備える構成としたが、撮像部の個数は複数であれば適宜任意に変更可能であり、例えば３つ以上の撮像部を備える構成であっても良い。
【００６５】
また、上記実施の形態では、第一撮像部１６ａ及び第二撮像部１６ｂが単一の鏡枠６の内部に形成された撮像装置１６を例示したが、これに限られるものではなく、例えば撮像部の各々が一つの鏡枠の内部に形成されたものを複数備えて構成された撮像装置であっても良い。
【００６６】
さらに、上記実施の形態では、マクロ撮像モードにて第二撮像部１６ｂに備わる第二光学部材３２及び第二撮像素子２２を用いて被写体の撮像を行う際に、第一光源４１を発光させるような構成としたが、これに限られるものではなく、通常撮像モードにて第一撮像部１６ａに備わる第一光学部材３１及び第一撮像素子２１を用いて被写体の撮像を行う際に、第二光源４２を発光させるような構成であっても良い。
【００６７】
また、上述の撮像制御処理において、二次元コードをデコードすると、そのコード情報内容を表示画面１３ａに表示させた上で、ユーザによる所定の処理の指示に基づいて、二次元コードの情報内容に応じた各種処理を実行する構成で説明を行ったが、ＣＰＵ１１ａにより、コード情報内容が解読されると自動的に所定の処理を実行する構成であってもよい。
【００６８】
さらに、上記実施の形態では、光源４１、４２としてＬＥＤを例示したが、これに限られるものではなく、被写体の撮像時に発光して照明用として適用可能なものであれば如何なるものであっても良い。
【００６９】
また、上記実施の形態では、撮像制御処理におけるコード認識処理において、ＣＰＵ１１ａは、コード類似性係数（Ｑ）の値に基づきステップＳ６及びステップＳ７の２段階の判断処理に基づき、その後の制御処理を選択するようにしたが、これに限られるものではなく、例えば、コード類似性係数（Ｑ）の値が、「０．５」以上であるのか否かの判断処理（ステップＳ６）を行わずに、「１」であるか否かの判断処理（ステップＳ７）のみを行って、その後の制御処理を選択するようにしても良い。
【００７０】
【発明の効果】
請求項１に記載の発明によれば、一の撮像部による被写体の撮像時に、一の撮像部と異なる他の撮像部に備えられた光源を照明用として用いることができるので、被写体の撮像時における照度を十分に高くすることができる。このとき、光源からの光が光学部材を通過することで、光束が拡大し、光の照射領域を拡大させることができる。従って、光源からの光を、被写体に対して適正に照射でき、照明用として効果的に活用することができる。これにより、例えばバックライトやストロボ等の照明補助用としての光を発光する光源、当該光源からの光を被写体に向けて投光するための投光用レンズ等を備えた補助光ユニットを別に設ける場合に比べて、携帯端末のスペースを有効に活用することができる。
【００７１】
請求項２に記載の発明によれば、例えば二次元コード等の携帯端末の影に入ってしまうような近距離にある被写体を撮像する第二の撮像モードにおいても、請求項１に記載の発明と同等の効果を得ることができる。
【００７２】
請求項３に記載の発明によれば、反射部材によって被写体の方に向かわない光を被写体に向けて反射させることで、光源からの光の照射強度を十分に確保することができる。
【図面の簡単な説明】
【図１】本発明が適用された携帯端末の一実施の形態として例示する折り畳み式の携帯電話機を示す正面図及び背面図である。
【図２】図１の携帯電話機の要部構成を示す機能ブロック図である。
【図３】図１の携帯電話機に備わる撮像装置を示す部分断面図である。
【図４】図１の携帯電話機による撮像制御処理を説明するためのフローチャートである。
【符号の説明】
１        携帯電話機（携帯端末）
１１      制御部
１１ａ    ＣＰＵ
ａ１      発光制御手段
１６      撮像装置
１６ａ    第一撮像部（撮像部）
１６ｂ    第二撮像部（撮像部）
２１      第一撮像素子（撮像素子）
２２      第二撮像素子（撮像素子）
３１      第一光学部材（光学部材）
３２      第二光学部材（光学部材）
４１      第一光源（光源）
４２      第二光源（光源）
ＰＣ      基板
【図１】
2004241825.tif 000003
【図２】
2004241825.tif 000004
【図３】
2004241825.tif 000005
【図４】
2004241825.tif 000006